(57)【要約】      （修正有）【課題】磁石の磁力に対向して起電するコイルの磁力が強くなり、回転の負荷が増大することによるエネルギーの無駄を減らすことができる低電圧発電機を提供する。【解決手段】磁石に対向して起電するコイルの磁力を弱める為にコイルを並列に別けて接続し、電圧を下げて電流を多くする。渦巻きコイル１０を磁石２の両面に配置し電流を通して変圧器５に接続する。電圧を下げた入力電流を、変圧器により、コアレスコイル４を直列接続した時の電圧に増圧して使用する。発電機に鉄心がないので初回転が軽く超電導の磁石での発電や、一般の家庭や車にも応用可能である。【選択図】図１
0003220511.tif 000002
【実用新案登録請求の範囲】
【請求項１】
互いに対向する一対の角板形状の外枠と、外枠の互いに対向する面に配置された複数の磁石と、磁石の互いに対向する面に取付けられた渦巻きコイルと、渦巻きコイルの間に回転自在に配置された回転板と、回転板において磁石に対向する様に円周方向に配置された複数のコアレスコイルと、回転板が外力によって回される事で起電され、コアレスコイルから流れる電流の電圧を変える変圧器と、を、備え、
外枠は、磁気誘導性を有する素材で、角板形状の中心に回転軸の入る孔があり、その孔の円周方向に複数の磁石が交互に極を変えて固定され、磁石複数の面に取付けられた渦巻きコイルの一対が両面に配置され、対向する磁石は、吸引する様に配置
回転板は、無磁性体の素材で、円板形状に形成され、複数のコアレスコイルの入る凹みがあり、導体リングの付く円板が、回転板の両側に配置された一対の中継リングを有し、
コアレスコイルは、絶縁された導線が扇形に巻かれ、コアレスコイル個々の線は、起電される電流の流れが同一方向になる様に並列に９Ａと９Ｂに別けて一対の中継リングに、それぞれ接続され、９Ｂの中継リングより伸びる線は、回転軸の中を通り９Ｂ側の接点をへて、変圧器の低圧側の片方に接続し、９Ａの中継リングも回転軸の中を通り、９Ａ側の接点をへて、渦巻きコイルの一方と他方を通して変圧器の低圧側の、もう片方に接続、
変圧器は、入力された電流を、コアレスコイルを、直列に接続した時の電圧に増圧して使用する低電圧発電機。
【考案の詳細な説明】
【技術分野】
【０００１】  発電に関する。
【背景の技術】
【０００２】  現在の発電機は、電流を使用すると回転が重くなり発電の効率が低下している。
【先行技術文献】
【０００３】
【特許文献】
【特許文献】実願２０１８−０００７７０
【考案の概要】
【考案を解決しようとする課題】
【０００４】  磁石の磁力と対向する発電するコイルの磁力が強くなると、回転の負荷が多くなりエネルギーを浪費している、これを減らす事が目的である。
【課題を解決する手段】
【０００５】  互いに対向する一対の角板形状の外枠と、外枠の互いに対向する面に配置された複数の磁石と、磁石の互いに対向する面に取付けられた渦巻きコイルと、渦巻きコイルの間に回転自在に配置された回転板と、回転板において磁石に対向する様に円周方向に配置された複数のコアレスコイルと、回転板が外力によって回される事で起電され、コアレスコイルから流れる電流の電圧を変える変圧器と、を、備え、
外枠は、磁気誘導性を有する素材で、角板形状の中心に回転軸の入る孔があり、その孔の円周方向に複数の磁石が交互に極を変えて固定され、磁石複数の面に取付けられた渦巻きコイルの一対が両面に配置され、対向する磁石は、吸引する様に配置
回転板は、無磁性体の素材で、円板形状に形成され、複数のコアレスコイルの入る凹みがあり、導体リングの付く円板が、回転板の両側に配置された一対の中継リングを有し、
コアレスコイルは、絶縁された導線が扇形に巻かれ、コアレスコイル個々の線は、起電される電流の流れが同一方向になる様に並列に９Ａと９Ｂに別けて一対の中継リングに、それぞれ接続され、９Ｂの中継リングより伸びる線は、回転軸の中を通り９Ｂ側の接点をへて、変圧器の低圧側の片方に接続し、９Ａの中継リングも回転軸の中を通り、９Ａ側の接点をへて、渦巻きコイルの一方と他方を通して変圧器の低圧側の、もう片方に接続、
変圧器は、入力された電流を、コアレスコイルを、直列に接続した時の電圧に増圧して使用する低電圧発電機。
【０００６】  低電圧の電流を、渦巻コイルに通さず変圧器に接続して、直列に接続した時の電圧に増圧した電流の両線を接続して回転させると、電流量は減らず１４回転と重くなるが、渦巻コイルに通電すると２０回転となる。
【考案の効果】
【０００７】  コアレスコイルを磁石と磁石の間で回す時電流が少ないと軽く回る為、電圧を下げ磁力を弱くし、尚通電する渦巻きコイルを磁石の両面に配置し、出る電流を変圧器で増圧して使用すると負荷が少ない。
【図面の簡単な説明】
【０００８】
【図１】  本体側面図
【図２】  渦巻コイル
【図３】  回転板
【考案を実施するための形態】
【０００９】  互いに対向する一対の角板形状の外枠１と、外枠１の互いに対向する面に配置された複数の磁石２と、磁石２の互いに対向する面に取付けられた渦巻きコイル１０と、渦巻きコイル１０の間に回転自在に配置された回転板３と、回転板３において磁石２に対向する様に円周方向に配置された複数のコアレスコイル４と、回転板３が外力によって回される事で起電され、コアレスコイル４から流れる電流の電圧を変える変圧器５と、を、備え、
外枠１は、磁気誘導性を有する素材で、角板形状の中心に回転軸の入る孔があり、その孔の円周方向に複数の磁石が交互に極を変えて固定され、磁石２複数の面に取付けられた渦巻きコイル１０の一対が両面に配置され、対向する磁石２は、吸引する様に配置
回転板３は、無磁性体の素材で、円板形状に形成され、複数のコアレスコイル４の入る凹みがあり、導体リングの付く円板が、回転板３の両側に配置された一対の中継リング９を有し、
コアレスコイルは、絶縁された導線が扇形に巻かれ、コアレスコイル４、個々の線は、起電される電流の流れが同一方向になる様に並列に９Ａと９Ｂに別けて一対の中継リング９に、それぞれ接続され、９Ｂの中継リング９より伸びる線は、回転軸７の中を通り９Ｂ側の接点８をへて、変圧器５の低圧側の片方に接続し、９Ａの中継リング９も回転軸７の中を通り、９Ａ側の接点８をへて、渦巻きコイル１０の一方と他方を通して変圧器５の低圧側の、もう片方に接続、変圧器５は、入力された電流を、コアレスコイル４を、直列に接続した時の電圧に増圧して使用する低電圧発電機。
【００１０】  磁石２の両面に取付く渦巻きコイル１０の線を細くする為、安定した電流を外部より入電する。
【００１１】  低電圧で空回転が２０回転すると、電流を渦巻コイル１０を通さず直結すると、１４回転と重いが電流が多い、渦巻コイル１０に電流を通して直結すると、２０回転ですが低電圧の電流である、これを変圧器５を通して増圧した電流を、お互いに接続すると２０回転と回転が軽いが電流が１０％減る、外部より渦巻コイル１０に通電すると、電流が減らず２０回転となる。
【００１２】  対向する両渦巻コイル１０が同じ方向に巻いて配置された時、電流を渦巻コイル１０の内側の線に入力し、外側から対向側の渦巻コイル１０の内側に接続し外側を変圧器５に接続し、異なる時は、内側に入力し外側の線を対向側の外側に接続し、内側の線を変圧器５へ接続しないと、回転数と電流が減る。
【００１３】  コアレスコイル１０は、一対の磁石２、に対して一個を設けるか、又は、二対の磁石２、に対して一個を設ける。
【符号の説明】
【００１４】１    外枠                        ６    プーリー
２    磁石                        ７    回転軸
３    回転板                      ８    接点          （Ａ側とＢ側）
４    コアレスコイル              ９    中継リング    （ＡとＢ）
５    変圧器                    １０    渦巻きコイル  （一方と他方）
【図１】
0003220511.tif 000003
【図２】
0003220511.tif 000004
【図３】
0003220511.tif 000005
【手続補正書】
【提出日】平成30年12月7日(2018.12.7)
【手続補正１】
【補正対象書類名】実用新案登録請求の範囲
【補正対象項目名】全文
【補正方法】変更
【補正の内容】
【実用新案登録請求の範囲】
【請求項１】
互いに対向する一対の角板形状の外枠と、外枠の互いに対向する面に配置された複数の磁石と、磁石の互いに対向する面に取付けられた渦巻きコイルと、渦巻きコイルの間に回転自在に配置された回転板と、回転板において磁石に対向する様に円周方向に配置された複数のコアレスコイルと、回転板が外力によって回される事で起電され、コアレスコイルから流れる電流の電圧を変える変圧器と、を、備え、
外枠は、磁気誘導性を有する素材で、角板形状の中心に回転軸の入る孔があり、その孔の円周方向に複数の磁石が交互に極を変えて固定され、磁石複数の面に取付けられた渦巻きコイルの一対が両面に配置され、対向する磁石は、吸引する様に配置し、
回転板は、無磁性体の素材で、円板形状に形成され、複数のコアレスコイルの入る凹みがあり、導体リングの付く円板が、回転板の両側に配置された一対の中継リングを有し、
コアレスコイルは、絶縁された導線が扇形に巻かれ、コアレスコイル個々の線は、起電される電流の流れが同一方向になる様に並列に中継リング９Ａと９Ｂに別けて一対の中継リングに、それぞれ接続され、９Ｂの中継リングより伸びる線は、回転軸の中を通り９Ｂ側の接点をへて、変圧器の低圧側の片方に接続し、９Ａの中継リングも回転軸の中を通り、９Ａ側の接点をへて、渦巻きコイルの一方と他方を通して変圧器の低圧側の、もう片方に接続、
変圧器は、入力された電流を、コアレスコイルを、直列に接続した時の電圧に増圧して使用する低電圧発電機。